(57)【要約】【課題】  投射型表示器から表示光を投影可能な所定領域のアウトラインが目立たない表示装置を提供する。【解決手段】  第一の投影手段１０は、スクリーン６０の第一の所定領域６１に表示光Ｌ１を投影可能である。第二の投影手段２０は、スクリーン６０の第二の所定領域６２に表示光Ｌ２を投影可能である。制御手段７０は、第一の投影手段１０に第一の映像Ｐ１を投影させると共に、第二の投影手段２０に第二の映像Ｐ２を投影させる。制御手段７０は、第一の投影手段１０及び第二の投影手段２０に、第一の所定領域６１内の周辺部と第二の所定領域６２内の周辺部を黒表示させる。【選択図】  図１
2012242430.tif 000002
【特許請求の範囲】
【請求項１】
スクリーンと、前記スクリーンの所定領域に表示光を投影可能な投影手段と、前記投影手段に映像を投影させる制御手段と、を備えた表示装置であって、
前記制御手段は、前記投影手段に、前記所定領域内の周辺部を黒表示させることを特徴とする表示装置。
【請求項２】
前記投影手段は、液晶表示パネルと、前記液晶表示パネルを照明する発光素子と、を有することを特徴とする請求項１に記載の表示装置。
【請求項３】
スクリーンと、前記スクリーンの第一の所定領域に表示光を投影可能な第一の投影手段と、前記スクリーンの第二の所定領域に表示光を投影可能な第二の投影手段と、前記第一の投影手段に第一の映像を投影させると共に前記第二の投影手段に第二の映像を投影させる制御手段と、を備えた表示装置であって、
前記制御手段は、前記第一の投影手段及び前記第二の投影手段に、前記第一の所定領域内の周辺部と前記第二の所定領域内の周辺部とを黒表示させることを特徴とする表示装置。
【請求項４】
前記第一の投影手段及び前記第二の投影手段は、液晶表示パネルと、前記液晶表示パネルを照明する発光素子と、を有することを特徴とする請求項３に記載の表示装置。
【発明の詳細な説明】
【技術分野】
【０００１】
本発明は、スクリーンに映像を投影する投射型表示器を備えた表示装置に関するものである。
【背景技術】
【０００２】
従来より、投射型表示器からスクリーンに映像を投影する表示装置が提案されており、例えば特許文献１，特許文献２に開示されている。斯かる表示装置は、１個のスクリーンに複数の投射型表示器から映像を投影するものであり、各投射型表示器から投影される映像は、各々、スクリーンの所定領域に投影される。前記所定領域は、横方向に並設されるか、若しくは、マトリクス状に配設される。このような表示装置は、大きなスクリーンに高精細な映像を表示することができるという利点を有している。
【先行技術文献】
【特許文献】
【０００３】
【特許文献１】特開２００１−３４３９６２号公報
【特許文献２】特開２００２−２７７９５８号公報
【発明の概要】
【発明が解決しようとする課題】
【０００４】
しかしながら、投射型表示器が投影する映像のアウトライン（即ち、前記所定領域のアウトライン）が目立つため、表示品位が低いという問題を有していた。特に、複数の投射型表示器を備えた表示装置においては、各投射型表示器から投影された各々の映像の間に隙間が生じたり、映像が重なったりするため、見栄えが良好ではないという問題を有していた。
本発明は、この問題に鑑みなされたものであり、投射型表示器から表示光を投影可能な所定領域のアウトラインが目立たない表示装置を提供するものである。
【課題を解決するための手段】
【０００５】
本発明は、請求項１に記載したように、スクリーン６０と、前記スクリーン６０の所定領域６１，６２，６３に表示光Ｌ１，Ｌ２，Ｌ３を投影可能な投影手段１０，２０，３０と、前記投影手段１０，２０，３０に映像Ｐ１，Ｐ２，Ｐ３を投影させる制御手段７０と、を備えた表示装置１００であって、前記制御手段７０は、前記投影手段１０，２０，３０に、前記所定領域６１，６２，６３内の周辺部を黒表示させるものである。
【０００６】
また、本発明は、請求項２に記載したように、前記投影手段１０，２０，３０は、液晶表示パネル１１，２１，３１と、前記液晶表示パネル１１，２１，３１を照明する発光素子１２，２２，３２と、を有するものである。
【０００７】
また、本発明は、請求項３に記載したように、スクリーン６０と、前記スクリーン６０の第一の所定領域６１に表示光Ｌ１を投影可能な第一の投影手段１０と、前記スクリーン６０の第二の所定領域６２に表示光Ｌ２を投影可能な第二の投影手段２０と、前記第一の投影手段１０に第一の映像Ｐ１を投影させると共に前記第二の投影手段２０に第二の映像Ｐ２を投影させる制御手段７０と、を備えた表示装置１００であって、前記制御手段７０は、前記第一の投影手段１０及び前記第二の投影手段２０に、前記第一の所定領域６１内の周辺部と前記第二の所定領域６２内の周辺部を黒表示させるものである。
【０００８】
また、本発明は、請求項４に記載したように、前記第一の投影手段１０及び前記第二の投影手段２０は、液晶表示パネル１１，２１と、前記液晶表示パネル１１，２１を照明する発光素子１２，２２と、を有するものである。
【発明の効果】
【０００９】
スクリーンの所定領域内の周辺部を黒表示させることにより、所定領域のアウトラインが目立たなくなる。
【図面の簡単な説明】
【００１０】
【図１】本発明の実施形態を示す側面図。
【図２】同上実施形態を示す模式図。
【図３】同上実施形態を示すブロック図。
【図４】同上実施形態を示す液晶表示パネルの正面図。
【図５】同上実施形態を示す透過型スクリーンの正面図。
【発明を実施するための形態】
【００１１】
以下、添付の図面に基づいて、本発明の一実施形態を説明する。なお、図面が煩雑になることを防止するため、図２は、反射ミラー４０，５０を省略した模式図になっている。
【００１２】
表示装置１００は、投射型表示器（第一の投影手段）１０と、投射型表示器（第二の投影手段）２０と、投射型表示器（第三の投影手段）３０と、反射ミラー４０，５０と、透過型スクリーン（スクリーン）６０と、制御部（制御手段）７０とを備えている。
【００１３】
投射型表示器１０は、液晶表示パネル１１及び発光素子１２を有しており、表示光Ｌ１を発する。投射型表示器２０は、液晶表示パネル２１及び発光素子２２有しており、表示光Ｌ２を発する。投射型表示器３０は、液晶表示パネル３１及び発光素子３２を有しており、表示光Ｌ３を発する。液晶表示パネル１１，２１，３１は、ＴＦＴ（Thin Film Transistor）型のＬＣＤパネルからなるものであり、夫々、多数の画素が配列された矩形の表示領域１１ａ，２１ａ，３１ａを有している（図４参照）。発光素子１２，２２，３２は、発光ダイオードからなるものであり、夫々、液晶表示パネル１１，２１，３１を透過照明する。
【００１４】
反射ミラー４０は、平面鏡からなるものであり、投射型表示器１０，２０，３０が発した表示光Ｌ１，Ｌ２，Ｌ３を反射ミラー５０向けて反射させる。反射ミラー５０は、平面鏡からなるものであり、反射ミラー４０で反射された表示光Ｌ１，Ｌ２，Ｌ３を透過型スクリーン６０の背面に向けて反射させる。
【００１５】
透過型スクリーン６０は、横方向に並設された矩形の第一の所定領域６１，第二の所定領域６２，第三の所定領域６３を有している。透過型スクリーン６０の第一の所定領域６１，第二の所定領域６２，第三の所定領域６３は、視認できるような境界線を有するものではなく、投射型表示器１０，２０，３０が、反射ミラー４０，５０を介して、表示光Ｌ１，Ｌ２，Ｌ３を投影可能な所定範囲である。
【００１６】
制御部７０は、マイコン７１及びメモリ部７２からなるものであり、予め記憶されたプログラムに基づいて、液晶表示パネル１１，２１，３１及び発光素子１２，２２，３２を駆動制御する。制御部７０のメモリ部７２には、液晶表示パネル１１，２１，３１に表示させる画像データが記憶されている。
【００１７】
制御部７０は、液晶表示パネル１１，２１，３１の表示領域１１ａ，２１ａ，３１ａの中央部に、夫々、画像Ｍ１，Ｍ２，Ｍ３を表示させる。制御部７０は、画像Ｍ１，Ｍ２，Ｍ３を除いて、液晶表示パネル１１，２１，３１の表示領域１１ａ，２１ａ，３１ａを略遮光状態にさせる。即ち、表示領域１１ａ，２１ａ，３１ａ内の周辺部は黒表示になっている。これにより、投射型表示器１０，２０，３０は、透過型スクリーン６０の第一の所定領域６１内、第二の所定領域６２内、第三の所定領域６３内の中央部に映像Ｐ１，Ｐ２，Ｐ３を表示すると共に、透過型スクリーン６０の第一の所定領域６１内、第二の所定領域６２内、第三の所定領域６３内の周辺部を黒表示することができる。
【００１８】
本実施形態の如く、透過型スクリーン６０の第一の所定領域６１内、第二の所定領域６２内、第三の所定領域６３内の周辺部を黒表示することにより、第一の所定領域６１，第二の所定領域６２，第三の所定領域６３のアウトラインを目立たなくすることができ、図５に示すように、スクリーン６０に映像Ｐ１，Ｐ２，Ｐ３が浮かび上がっているような表示ができる。
【００１９】
なお、本発明は本実施形態に限定されるものではなく、種々の変形が可能である。例えば、本実施形態の投射型表示器１０，２０，３０は、液晶表示パネル１１，２１，３１及び発光素子１２，２２，３２を有するものであったが、ＤＭＤ（Digital Micro mirror Device）プロジェクタであっても良い。また、本実施形態は３個の投射型表示器１０，２０，３０を備えたものであったが、投射型表示器は少なくとも１個あれば良い。
【符号の説明】
【００２０】
１０  照射型表示器（投影手段）
１１  液晶表示パネル
１２  発光素子
２０  照射型表示器（投影手段）
２１  液晶表示パネル
２２  発光素子
３０  照射型表示器（投影手段）
３１  液晶表示パネル
３２  発光素子
６０  スクリーン
６１  第一の所定領域（所定領域）
６２  第二の所定領域（所定領域）
６３  第三の所定領域（所定領域）
７０  制御部（制御手段）
Ｐ１  第一の映像
Ｐ２  第二の映像
Ｐ３  第三の映像
【図１】
2012242430.tif 000003
【図２】
2012242430.tif 000004
【図３】
2012242430.tif 000005
【図４】
2012242430.tif 000006
【図５】
2012242430.tif 000007